(57)【特許請求の範囲】
【請求項１】
当接スイベルドアストップ（１０）であって、
ドアフレーム（１４）に取り付け可能な取り付けプレート（２０）を含み、
前記取り付けプレート（２０）に旋回可能及びスライド可能に取り付けられるストップ部材（２６）を含み、前記ストップ部材（２６）は非係合位置と係合位置との間をスライド可能であり、前記非係合位置にあるときに前記ストップ部材（２６）はドアオープン位置とドアブロック位置との間を回転可能であり、
前記ストップ部材（２６）を前記非係合位置に付勢する付勢手段（２８）を含み、
前記取り付けプレート（２０）に旋回可能に取り付けられるキーパ（２４）を含み、前記キーパ（２４）はロック状態とロック解除状態との間で前記ストップ部材（２６）に相対して回転可能であり、前記キーパ（２４）は、前記キーパ（２４）が前記ロック状態と前記ロック解除状態との間を回転すると前記ストップ部材（２６）を前記付勢手段（２８）に抗して付勢して前記係合状態にするカム（４６）を有し、
ヒンジによって前記ドアフレーム（１４）内に取り付けられるドア（１２）に取り付けられるラッチ（５８）を含み、
前記キーパ（２４）が前記ロック状態と前記ロック解除状態との間を回転すると、前記ストップ部材（２６）は前記取り付けプレート（２０）と前記ラッチ（５８）に係合して前記ドア（１２）を前記ドアフレーム（１４）にロックし、かつ前記取り付けプレート（２０）と前記ラッチ（５８）から係合解除して前記ドアフレーム（１４）から前記ドア（１２）をロック解除する、当接スイベルドアストップ。
【請求項２】
前記ストップ部材（２６）及び前記キーパ（２４）が共通のピントル（２２）に回転可能に取り付けられる、請求の範囲第１項に記載の当接スイベルドアストップ。
【請求項３】
前記ピントル（２２）が、前記取り付けプレート（２０）の端部に形成される少なくとも２つのピストンピン（３４、３６）と係合する、請求の範囲第２項に記載の当接スイベルドアストップ。
【請求項４】
前記ピストンピン（３４、３６）がロール成形されて前記取り付けプレート（２０）に溶接されている、請求の範囲第３項に記載の当接スイベルドアストップ。
【請求項５】
前記ピストンピン（３４、３６）が前記取り付けプレート（２０）に溶接されている領域において前記取り付けプレート（２０）が強化されている、請求の範囲第４項に記載の当接スイベルドアストップ。
【請求項６】
前記ストップ部材（２６）が、前記ロック状態にあるときに前記キーパ（２４）を受ける回り止めを有する、請求の範囲第１項に記載の当接スイベルドアストップ。
【発明の詳細な説明】
発明の分野
本発明はスイングドア（旋回ドア）が開かないようにするための改良されたドアストップ（ドア止め）に関する。
発明の背景
スライドボルト、バレルボルト、ドアチェーン又はインターロッキングレバーのような従来の装置は、一般的に、侵入者が単に大きな打撃を与えるだけで鍵を壊して侵入することが可能になる。これらの全装置は鍵を壊すのに、事実上、単に１、２の大きな大きな打撃を要するので、居住者はその装置が侵入を防止すると信じる点において、誤った安全感覚を居住者に与える。
当接スイベルドアストップ（abutment swivel doorstops）は、米国再発行特許番号２９，１６２号に開示されている。この装置は、リブとグルーブラッチが係合することによりドアブロック（閉鎖）位置に回転可能な止め棒を使用する。新規であるが、これらのドアストップは、従来の装置以上にはドアの安全性を改良しなかったので、大きい商業的成功をしなかった。この装置は侵入者が装置を壊すのを防止するだけの十分な強度を有していなかった。
この特定のドアストップには改良がなされ、それらは米国特許第４，３２２，１００号に、より十分に記述されている。強度問題を扱った幾つかの改良がなされたが、これらの改良は他の従来の安全装置を越える程には大きくドアストップ強度を向上しなかった。
更に最近では、ワイナー社（Winner Corporation）から入手可能で、「ドアクラブ（DOORCLUB）」（商標）として販売された装置が市場にでてきた。この装置は、破損することなく大きな打撃に耐える点に関して改良された強度特性を示すが、その装置は、大きく、かさばり、高価で、またドア正面の床に取付けのための複雑な装置を必要とする。この取付け要求と大きさが製品の販売可能性を減じている。
発明の概要
単一のキーパを回転すると、ストップ部材がフレームとドアの両方に位置合わせされることになる当接スイベルドアストップを提供することにより、従来技術の欠点を克服することができる。
本発明の一態様によれば、当接スイベルドアストップは、ドアフレームに取付け可能な取付けプレート、前記取付けプレートに旋回可能及びスライド可能に取付けられるストップ部材、ストップ部材を非係合位置に付勢するためのバイアス（付勢）手段、取付けプレートに旋回可能に取付けられるキーパ、及びドアに取付け可能なラッチを有し、ドアは、ドアフレーム内にヒンジで取付けられている。ストップ手段はドアオープン（開放）位置とドアブロック（閉鎖）位置との間で回転可能であり、また非係合位置と係合位置との間でスライド可能である。キーパは、ロック状態とロック解除状態との間でストップ部材に対して回転可能である。キーパはストップ部材をバイアス手段に抗して付勢するためのカムを有し、キーパがロック状態とロック解除状態との間で回転すると係合状態になる。キーパがロック状態とロック解除状態との間で回転すると、ストップ部材は取付けプレートとラッチに係合して、ドアをドアフレームにロックし、かつ取付けプレートとラッチとの係合を解除して、ドアをドアフレームからロック解除する。
図面の説明
下記図面は発明の実施の形態を示す。
図１は本発明のドアストップを組み込むドアアセンブリの斜視図である。
図２は、図１の本発明のドアブロック位置のストップ部材とキーパを示す平面図である。
図３は、図１の本発明の係合状態のストップ部材とロック状態のキーパを示す平面図である。
図４は、図１の本発明のドアオープンのキーパとストップ部材を示す平面図である。
図５は、図１の発明のドアフレームへの取付け部分の斜視図である。
図６は、図１の本発明のドアラッチの斜視図である。
図７は、図１の本発明のロック解除状態のキーパと非係合状態のストップ部材を示す斜視図である。
図８は、図１の本発明のロック解除状態に移動するキーパと係合状態に移動するストップ部材を示す斜視図である。
発明の記述
本発明の当接スイベルドアストップ１０は図１に例示される。ドアストップ１０は、ヒンジ１６を使用してフレーム１４内に取り付けられたドア１２を含む従来のドアアセンブリに関連して使用される。ドア１２はドアノブ８も有する。
図２−５を参照すると、ドアストップ１０は、ベースプレート２０、ピントル（軸棒）２２、キーパ（keeper）２４、ストップ部材２６及びねじりばね２８を含む（図５）。
取付けプレート２０は上部イヤー（耳部）３０及び下部イヤー３２を有し、これらはベースプレート２０と一体化し該ベースプレートの一方のエッジから延出する。上部イヤー３０及び下部イヤー３２の遠端部は、冷間圧延されてピストンピン３４及び３６を定める。上部イヤー３０及び下部イヤー３２の遠端部は溶接されてピストンピン３４及び３６を定めることが好ましい。ピストンピン３４及び３６は、ピントル２２が延出する同軸円筒形チャネルを定める。
溶接領域では、上部イヤー３０及び下部イヤー３２は強度を向上させるために中にスタンプされたエンボス部分３８を有する。下部イヤー３２の上部エッジには突出部分４０が設けられる。
キーパ２４は円筒形コア４４から延出するアーム４２を有する。円筒形コア４４は、キーパ２４がピントル２２に旋回可能に取り付けられるように中心軸方向に延出するボアを有する。中心円筒形コア４４は、円筒形コア４４の有効的な軸方向の長さを延長させるカム表面４６を有する（図８）。
ストップ部材２６は、円筒形コア４８及び該円筒形コアから延出する当接アーム５０を有する。当接アーム５０の下面は二つの溝を有する。突出部分用溝５２は、回転の中心から半径方向に延出し、当接スイベルドアストップ１０がドアブロック位置（図１）にある場合に突出部分４０に係合するように配置される。ドア溝５６は突出部分用溝５２にほぼ垂直に延出する。ドア用溝５６は、当接スイベルドアストップ１０がロック位置（図３及び図８）にある場合にラッチ５８に係合する。円筒形コア４８の上面はキーパ２４のカム表面４６に対して相補的になるように輪郭形成される。円筒形コア４８はねじりばね２８を受けるためのカウンターボア６０を有する。任意であるが、ストップ部材２６の円筒形コア４８の上面は、完全にロック位置にある場合に、キーパ２４のカム表面４６のリーディングエッジを受けるためのもどり止めを有する。
ラッチ５８は一対のベースフーチング（ベース脚部）６２且つ６４及び該フーチングにわたって延出するラッチプレート６６を有する。ベースフーチング６２及び６４にはボア６８が設けられ、該ボアはねじ７０又はドア１２に取り付けるための他の留め具を受ける。取り付けられると、ラッチプレート６６はドア１２の平面から間隔が開けられている（図４）。
ドアストップ１０は、キーパ２４及びストップ部材２６が完全にフィットするように位置合わせすることによって組み立てられる。ばね２８はカウンターボア６０にあり、圧縮されてピストンピン３４及び３６との間に配置される。ピントル２２はピストンピン３４、キーパ２４、ストップ部材２６、ばね２８及びピストンピン３６を介して延出する。ピントル２２は公知の方法でピストンピン３４及び３６内に永久に固定される。
キーパ２４は、ピントル２２を中心としてロック状態及びロック解除状態の間を回転可能に取り付けられる（図２及び３）。ばね２８はストップ部材２６を付勢してキーパ２４に相補的にフィットするように係合させる。ストップ部材２６はピントル２２を中心に回転するように旋回可能に取り付けられる。しかし、ピストンピン３４と３６との間隔によって、ストップ部材２６はピントル２２に沿って係合位置と非係合位置との間をスライド移動する。
キーパ２４及びストップ部材２６が相補的にフィットしている場合、キーパ２４及びストップ部材２６は、ドアオープン位置（図４）とドアブロック位置（図２）との間を単一のユニットとしてピントル２２を中心に回転する。
突出部分用溝５２が突出部分４０にわたって延出するように位置合わせされ、キーパ２４がストップ部材２６に対してロック解除状態とロック状態との間を回転する場合、カム表面４６はストップ部材２６を下方に付勢するため、突出部分用溝５２は突出部分４０に係合する。ストップ部材２６に対するキーパ２４の逆回転の場合、ばね２８はストップ部材２６を付勢して突出部分４０からの係合を解除するため、ストップ部材２６及びキーパ２４は自由に回転できる。
本発明のドアストップ１０を取り付けるためには、ベースプレートの一般的な構造に対応するリセスがドアフレーム１４に切り込まれるか又はのみ切りされる。ねじ７０は開口７２を介して挿入され取付けプレート２０をドアフレーム上に取り付ける。ピストンピン３４及び３６はドアのスィングに干渉しないようにドア１２から離されることに注目されたい。
ラッチ５８はドアストップ１０に近接してドアに取り付けられる。ラッチプレート６６の上部エッジは突出部分４０に対してほぼ水平である。
ドアストップは、ドアストップ１０を単に逆転させることによって左手用及び右手用ドアの両方に取付けられ得ることが理解される。
使用の際、居住者はドア１２を閉める。キーパ２４及びストップ部材２６は共にドアブロック位置に回転するため、突出部分用溝５２は突出部分４０に位置合わせされドア溝５６はラッチプレート６６に位置合わせされる。この位置で、ストップ部材２６はドア１２のスィングの過程にある。キーパ２４が回転してロック解除状態からロック状態に移動すると、ストップ部材２６は定位置に固定される。キーパ２４がストップ部材２６に対して回転すると、カム表面４６はストップ部材２６を下方に付勢して突出部分４０及びラッチプレート６６の両方に係合する。キーパ２４はドアフレーム１４に接触するまで回転する。このロック位置で、ドア１２及びドアフレーム１４は完全に一体化している。
ロック解除するためには、キーパ２４及びストップ部材２６が位置合わせされてストップ部材２６がばね２８によって上方に付勢されて突出部分４０及びラッチプレート６６から係合解除されるまで、キーパ２４はストップ部材２６に対して逆回転する。係合が解除されると、キーパ２４及びストップ部材２６はドアブロック位置からドア１２のスィングを越えたドアオープン位置へ自由に回転する。
好ましくは、取付けプレート２０はスタンプ且つ冷間圧延されたシートスチールから形成される。キーパ２４及びストップ部材２６はダイカストである。しかし、ストップ部材２６は先行デバイスのように中空ではないことに注目されたい。
当接スイベルドアストップの種々のモデルに対して実施されたテストは、先行モデルの明らかな欠陥を示した。米国再発行特許第Ｒｅ  ２９，１６２号に従ったドアストップは、安全性が非常に低いと仮定した場合に、３３フート−１ｂｓの第１打で変形且つ係合が解除された。侵入者はこのドアストップを容易に破壊して侵入することができるであろう。
米国特許第４，３３２，１００号に従ったドアストップは、３３フート−１ｂｓの第２打で構造的に変形し、第７打で係合が解除されることが分かった。保持能力は改善されているが、安全レベルは市場に出回っている他のブロッキングデバイスと比べて優れてはいない。
本発明のドアストップ１０は、３３フート−１ｂｓの５０打にも変形せずに耐え得ることが分かった。更に、ドアストップ１０は最も高いレベルのテスト規格、ＡＳＴＭグレード４０を得た。ドアストップ１０は、ソリッドコアの木製ドアが破壊された後でも係合解除されず、保持し続けることが分かった。
本発明の当接スイベルドアストップは容易に修正され得ることが当該技術分野の技術者には明らかである。構成要素の幾つかの変更は、本発明の精神から逸脱せず、請求の範囲内である。
【図１】
0003945537.tif 000002
【図２】
0003945537.tif 000003
【図３】
0003945537.tif 000004
【図４】
0003945537.tif 000005
【図５】
0003945537.tif 000006
【図６】
0003945537.tif 000007
【図７】
0003945537.tif 000008
【図８】
0003945537.tif 000009